(57)【要約】【課題】  本発明は、植物苗の炭疽病等の病気の発生を防止することを課題とする。【解決手段】  育苗箱１の箱本体２の底部３には、栓６付きの水抜き孔５または水抜き小孔５Ａを設け、該箱内に底部に水導入孔９を有するポット８を設置し、１日または２日または３日に１回水を充填し、１０分〜３０分で水抜き孔５の栓６を開いて水を全量排出する。あるいは止水後該水抜き小孔５Ａから１０分〜３０分で該水を全量排出する。【選択図】    図３
2008259473.tif 000002
【特許請求の範囲】
【請求項１】
植物苗を植えたポットを設置して育苗するために使用する育苗箱であって、箱本体の底部には栓付きの水抜き孔または水抜き小孔が設けられていることを特徴とする育苗箱。
【請求項２】
請求項１の育苗箱の底部には栓付きの水抜き孔が設けられており、上記育苗箱の中に底部には水導入孔を有するポットを設置し、該育苗箱中に１日または２日または３日に１回水を充填し、１０分〜３０分で該水抜き孔の栓を開いて水を全量排出することを特徴とする育苗方法。
【請求項３】
請求項１の育苗箱の底部には水抜き小孔が設けられており、上記育苗箱の中に底部には水導入孔を有するポットを設置し、該育苗箱中に１日または２日または３日に１回水を充填して、該育苗箱中のポットを該水によって浸漬し、止水後該水抜き小孔から１０分〜３０分で該水を全量排出することを特徴とする育苗方法。
【発明の詳細な説明】
【技術分野】
【０００１】
本発明は、いちご、きゅうり、トマト等の果物、野菜の苗を育てるための育苗箱および該育苗箱を使用する育苗方法に関するものである。
【背景技術】
【０００２】
従来からこの種の植物の育苗を行なうには、育苗箱に植物苗を植えたポットの複数個を設置し、通常1日に１回及至２回上から水をかけて育苗を行なっていた。
【発明の開示】
【発明が解決しようとする課題】
【０００３】
しかし上記従来の方法では炭疽病等の病気が発生し易いと云う大きな問題点があった。
【課題を解決するための手段】
【０００４】
本発明者は、植物の炭疽病等の病気の発生原因を鋭意究明した結果、炭疽病等の病気の発生には給水量が大きく影響していることが判明し、本発明を完成した。
即ち、本発明は、植物の育苗に植物苗を植えたポットを設置して育苗するために使用する育苗箱であって、箱本体の底部には栓付きの水抜き孔または水抜き小孔が設けられている育苗箱を使用することを骨子とする。
本発明では、更に上記育苗箱の底部には栓付きの水抜き孔が設けられており、上記育苗箱の中に底部には水導入孔を有するポットを設置し、該育苗箱中に１日または２日または３日に１回水を充填し、１０分〜３０分で該水抜き孔の栓を開いて水を全量排出する育苗方法、または上記育苗箱の底部には水抜き小孔が設けられており、上記育苗箱の中に底部には水導入孔を有するポットを設置し、該育苗箱中に１日または２日または３日に１回水を充填して、該育苗箱中のポットを該水によって浸漬し、止水後該水抜き小孔から１０分〜３０分で該水を全量排出する育苗方法が提供される。
【発明の効果】
【０００５】
〔作用〕
本発明によれば、上記育苗箱１の中に底部３に水導入孔９を有するポット８を設置し、該育苗箱１中に１日または２日または３に１回水を充填し、１０分〜３０分で該水抜き孔５の栓を開いて水を全量排出する。あるいは止水後該水抜き小孔５Ａから１０分〜３０分で該水を全量排出する。そうすると、過剰の水分がポット８内に存在しなくなり、炭疽病等の病気の発生が効果的に防止される。
【０００６】
〔効果〕
したがって本発明では熟練していない栽培者でも、ポット８内の水分調節が極めて容易に出来、炭疽病等の病気の発生を効果的に防止することが出来る。
【０００７】
本発明を以下に詳細に説明する。
本発明を図１〜図３に示す一実施例によって説明すれば、図に示す育苗箱１にあっては、箱本体２の底部３の上面に多数条の導水溝４が並設され、該底部３の一隅角には、紐７付きの栓６を付した水抜き孔５が設けられている。上記箱本体２は例えば長さ６００ｍｍ、巾３００ｍｍ、周壁の高さ５０ｍｍ〜１００ｍｍ程度である。
【０００８】
上記育苗箱１内には複数個のポット８が設置される。該ポット８は底部に水導入孔９を有し、該ポット８には培地１０が充填され、植物苗１１が植えられている。該ポット８は例えば径５０ｍｍ〜８０ｍｍ、高さ７０ｍｍ〜８０ｍｍであり、育苗箱１内に３０個〜３５個程度設置される。培地１０には適宜肥料を混合しておく。
【０００９】
給水は間欠的に行なう。即ち育苗箱１内にポット８が被らない程度の量（ポット８の高さの８割程度）で水Ｗを充填し１０分〜２０分放置する（図２参照）。水を充填してから排水までの時間を１０分以下にすると、水不足になって苗の成長に支障を来たすおそれがあり、２０分以上にすると炭疽病等の病気の発生のおそれがある。該水は該ポット８の底部の水導入孔９より内部の培地１０に浸透する。次いで紐７を上に引張って栓６を該水抜き孔５より育苗箱１内の水Ｗを全量排出する。この際箱本体２の底部３に導水溝４が並設されていると、水の全量排出が円滑にかつむらなく行われる。このような間欠給水は１日または２日または３おきに１回行なう。
上記育苗は通常２５日〜４０日程度の期間行ない、その後苗を定植する。
【００１０】
図４には本発明の他の実施例が示される。図に示す育苗箱１Ａにあっては、箱本体２Ａの底部３Ａの上面に多数条の導水溝４Ａが並設され、該底部３Ａの一隅角には水抜き小孔５Ａが設けられている。箱本体２Ａの大きさは前実施例と同じである。
上記育苗箱１Ａ内には前実施例と同様な複数個のポット８が設置される。該育苗箱１Ａ内に水を注入充填する。この際育苗箱１Ａに充填された水は逐次水抜き小孔５Ａから排出される。しかし水の水抜き小孔５Ａから排出速度よりも水の注入速度の方が大きくなるように設定しておけば、該育苗箱１Ａ内のポット８は被らない程度の量（ポット８の高さの５割〜８割程度）で水に浸漬される。止水後該水が１０分〜３０分で全量排出されるよう、該水抜き小孔５Ａの径を設定する。このような間欠給水は１日または２日または３日おきに１回行なう。以後前実施例と同様にして育苗を行なう。
【００１１】
上記実施例以外、本発明にあっては育苗箱の栓はバルブ式であってもよいし、この場合電動バルブにして自動制御してもよい。
【００１２】
〔育苗テスト〕
長さ６００ｍｍ、巾３００ｍｍ、高さ１００ｍｍの育苗箱に径８０ｍｍ、高さ８０ｍｍのポット３２個（８×４）並べて設置した。各ポットには肥料を混合した鹿沼土を充填し、イチゴの苗を植えた。
【００１３】
２５℃に保ったビニルハウス内に上記育苗箱１を設置し、１日に１回該育苗箱１に深さ５０ｍｍまでの水を充填し、１５放置して栓を抜き全量排出した。
【００１４】
上記育苗は３５日継続し、その後定植を行なった。
【００１５】
比較１として、水を充填してからの放置時間を５分に設定した場合、比較２として水を充填してからの放置時間を４０分に設定した場合、比較３（従来法）として育苗箱の栓を抜くことなく、１日２回上から５ｌの水を撒いて育苗を行なった。上記育苗は３５日継続し、その後定植を行なった。
【００１６】
本発明            全ポットに炭疽病等の病気の発生が見られない。
比較１            全ポットに炭疽病等の病気の発生が見られないが、苗の成長が妨げられ、葉の一部が黄化する。
比較２            全ポットに炭疽病等の病気の発生が見られた。
比較３            全ポットに炭疽病等の病気の発生が見られた。
【産業上の利用可能性】
【００１７】
本発明は初心者でも簡単に炭疽病の発生を防ぎつつ優良な苗を育てることが出来るから、産業上利用可能である。
【図面の簡単な説明】
【００１８】
図１〜図３は本発明の一実施例を示すものである。
【図１】斜視図
【図２】水充填状態側断面図
【図３】排水状態側断面図    図４は本発明の他の実施例を示すものである
【図４】斜視図
【符号の説明】
【００１９】
１,１Ａ    育苗箱
２,２Ａ    箱本体
３,３Ａ    底部
５         水抜き孔
５Ａ       水抜き小孔
６         栓
８         ポット
９         水導入孔
１０       培地
１１       苗
【図１】
2008259473.tif 000003
【図２】
2008259473.tif 000004
【図３】
2008259473.tif 000005
【図４】
2008259473.tif 000006